(57)【要約】【課題】切梁ジャッキは切梁に作用する軸力のみを負担し、曲げ力とせん断力は負担しないようにして、切梁ジャッキを切梁軸方向の任意の位置に設置できるようにした切梁ジャッキ設置ボックスおよび山留切梁を提供する。【解決手段】内枠12と内枠12が内接する外枠11を備えている。中に山留切梁１に軸力を導入する切梁ジャッキ３を備えている。外枠11と内枠12は切梁ジャッキ３の伸縮に伴って、切梁軸方向の相反する方向にスライド可能に配置する。切梁ジャッキ３の外周と内枠11間を離間させる。山留切梁１に作用する軸力は切梁ジャッキ３が伝達し、山留切梁１に作用する曲げ力とせん断力は外枠11と内枠12との当接面で伝達するように構成する。外枠11と内枠12との当接面に摩擦低減材を介在する。【選択図】図１
2020094329.tif 000002
【特許請求の範囲】
【請求項１】
切梁と同一方向に配置され、かつ前記切梁の軸方向に伸縮して前記切梁に軸力を導入する切梁ジャッキが内蔵された切梁ジャッキ設置ボックスであって、内枠と当該内枠が内接する外枠とを備え、前記外枠と内枠は前記切梁ジャッキの伸縮に伴って、切梁軸方向の相反する方向にスライド可能に配置され、前記切梁ジャッキの外周と前記内枠間は離間しており、前記切梁に作用する軸力は前記切梁ジャッキが伝達し、前記切梁に作用する曲げ力とせん断力は前記外枠と内枠との当接面で伝達するように構成されていることを特徴とする切梁ジャッキ設置ボックス。
【請求項２】
請求項１記載の切梁ジャッキ設置ボックスにおいて、前記内枠と外枠との当接面に摩擦低減材が介在されていることを特徴とする切梁ジャッキ設置ボックス。
【請求項３】
切梁と、当該切梁と同一方向に配置され、前記切梁の軸方向に伸縮して前記切梁に軸力を導入する切梁ジャッキが内蔵された切梁ジャッキ設置ボックスとを備えてなる山留切梁であって、前記切梁ジャッキ設置ボックスは、内枠と当該内枠が内接する外枠とを備え、前記外枠と内枠は前記切梁ジャッキの伸縮に伴って、切梁軸方向の相反する方向にスライド可能に配置され、前記切梁ジャッキの外周と前記内枠間は離間しており、前記切梁に作用する軸力は前記切梁ジャッキが伝達し、前記切梁に作用する曲げ力とせん断力は前記外枠と内枠との当接面で伝達するように構成されていることを特徴とする山留切梁。
【発明の詳細な説明】
【技術分野】
【０００１】
本発明は、切梁ジャッキを内蔵した切梁ジャッキ設置ボックスおよび当該切梁ジャッキ設置ボックスを備えた山留切梁に関し、特に切梁ジャッキが切梁に作用する軸力のみを負担し、曲げ力とせん断力は負担しないようにして、切梁ジャッキを切梁軸方向の任意の位置に設置できるようにすると共に、切梁に必要量の軸力を容易にかつ安全に導入できるようにしたものである。
【背景技術】
【０００２】
一般に山留用の切梁20は、切梁主材21、切梁ジャッキ22、継手金物23、切梁補助ピース24および調整材25を備え、切梁ジャッキ22は継手金物23と切梁主材21との間、切梁補助ピース24と調整材25は継手金物23と腹起し26との間にそれぞれ配置され、各部材どうしは互いに複数の接合ボルト27によって脱着可能に接合されている(図７参照)。
【０００３】
また、切梁補助ピース24および調整材25の両側に、一組の火打梁28,28が対称に配置され、特に切梁側の端部は継手金物23に複数の接合ボルト27によって脱着可能に接合される。
【０００４】
ところで、切梁ジャッキ22は切梁20にプレロードを導入して、周辺地盤の沈下やクラックを抑制したり、山留支保工の剛性を高めて工事の安全等を確保するために用いられるが、切梁ジャッキ22の設置部は強度的に切梁20の弱点とされているため、切梁ジャッキ22は特に曲げモーメントの小さい位置に設置するのが望ましく、本来なら継手金物23と切梁補助ピース24との間に設置するのが望ましい。
【先行技術文献】
【特許文献】
【０００５】
【特許文献１】特開平04-068115号公報
【発明の概要】
【発明が解決しようとする課題】
【０００６】
しかし、継手金物23と切梁補助ピース24との間に切梁ジャッキ22を設置すると、切梁主材21が火打梁28によって拘束されるため、切梁ジャッキ22の操作が困難になり、切梁20にプレロードを自由に導入できなくなるという課題があった。このため、切梁ジャッキ22は、今なお継手金物23と切梁主材21との間に設置されている。
【０００７】
本発明は、このような現状に鑑みてなされたもので、特に切梁ジャッキが切梁に作用する軸力以外の曲げ力とせん断力を負担しないようにして、切梁ジャッキを切梁軸方向の任意の位置に設置できるようにすると共に、切梁に必要量の軸力を容易にかつ安全に導入できるようにした切梁ジャッキ設置ボックスおよび山留切梁を提供することを目的とする。
【課題を解決するための手段】
【０００８】
本発明は、切梁と同一方向に配置され、かつ前記切梁の軸方向に伸縮して前記切梁に軸力を導入する切梁ジャッキが内蔵された切梁ジャッキ設置ボックスの発明であり、内枠と当該内枠が内接する外枠とを備え、前記外枠と内枠は前記切梁ジャッキの伸縮に伴って、切梁軸方向の相反する方向にスライド可能に配置され、前記切梁ジャッキの外周と前記内枠間は離間しており、かつ前記切梁に作用する軸力は前記切梁ジャッキが伝達し、前記切梁に作用する曲げ力とせん断力は前記外枠と内枠との当接面で伝達するように構成されていることを特徴とするものである。
【０００９】
特に、前記切梁ジャッキの外周と前記内枠間が離間し、かつ前記外枠と内枠は前記切梁ジャッキの伸縮に伴って、切梁軸方向の相反する方向にスライド可能に配置されているため、前記切梁に軸力を導入する際に、前記内枠と外枠の抵抗を受けることはなく、切梁に必要量の軸力を容易にかつ安全に導入することができる。
【００１０】
また、前記切梁ジャッキの外周と前記内枠間が離間しており、かつ前記切梁に作用する曲げ力とせん断力は前記内枠と外枠との当接面で伝達するように構成され、前記切梁ジャッキが曲げ力とせん断力を受けないため、前記切梁ジャッキの設置位置として構造的に不利となる位置はなく、切梁軸方向の任意の位置を自由に選択することができる。
【００１１】
また、前記内枠と外枠との当接面に摩擦低減材を介在することで、前記内枠と外枠の切梁軸方向へのスライドがスムーズになり、切梁ジャッキの操作をスムーズに作動させることができる。
【発明の効果】
【００１２】
本発明は、内枠と当該内枠が内接する外枠とを備え、前記外枠と内枠は前記切梁ジャッキの伸縮に伴って、切梁軸方向の相反する方向にスライド可能に配置され、前記切梁ジャッキの外周と前記内枠間は離間しており、かつ前記切梁に作用する軸力は前記切梁ジャッキが伝達し、前記切梁に作用する曲げ力とせん断力は前記外枠と内枠との当接面で伝達するように構成され、前記切梁ジャッキが曲げ力とせん断力を受けないため、前記切梁ジャッキの設置位置として構造的に不利となる位置はなく、切梁軸方向の任意の位置を自由に選択することができる。
【図面の簡単な説明】
【００１３】
【図１】内部に切梁ジャッキが設置された切梁ジャッキ設置ボックスを備えた山留切梁の一部平面図である。
【図２】切梁ジッャキ設置ボックスの斜視図である。
【図３】図２に図示する切梁ジャッキ設置ボックスを図示したものであり、図3(a)は平面図、図3(b)は正面図、図3(c)は図3(a)におけるA-A線断面図、図3(d)は右側面図である。
【図４】切梁ジャッキを内部に備えた切梁ジャッキ設置ボックスを図示したものであり、図4(a)は正面図、4(b)図4(a)におけるB-B線断面図である。
【図５】本発明の変形例を図示したものであり、内部に切梁ジャッキが設置された切梁ジャッキ設置ボックスを備えた山留切梁の一部平面図である。
【図６】継手金物を図示したものであり、図6(a)は平面図、図6(b)は図6(a)におけるC-C線断面図、図6(c)は図6(a)におけるD-D線断面図、図6(d)は図6(a)におけるE-E線矢視図である。
【図７】切梁ジャッキが設置された従来の山留切梁一部平面図である。
【発明を実施するための形態】
【００１４】
図１〜図４は、本発明の一実施形態を図示したものであり、山留切梁１は切梁主材２、切梁ジャッキ３、切梁ジャッキ設置ボックス４、継手金物５、切梁補助ピース６および調整材７を備え、対向する腹起し8,8間に架設されている。
【００１５】
切梁主材２、切梁ジャッキ３、切梁ジャッキ設置ボックス４、継手金物５、切梁補助ピース６および調整材７は、同一軸線上に配置され、特に切梁ジャッキ３は切梁ジャッキ設置ボックス４内に配置されている(図４参照)。そして、各部材どうしは複数の接合ボルト９によって脱着可能に接合されている。
【００１６】
また、切梁補助ピース６および調整材７の両側に、一組の火打梁10,10が対称に配置され、その山留切梁１側の端部は継手金物５の側部に、腹起し８側の端部は腹起し８の側部にそれぞれ複数の接合ボルト９によって脱着可能に接合されている。
【００１７】
なお、切梁主材２、継手金物５、調整材７、腹起し８および火打梁10は、いずれもＨ形鋼などの形鋼や角形鋼管から形成されている。また、継手金物５の両側部に火打梁10の端部をボルト接合するための継手5a,5aが山留切梁１の長手方向にリブ状に連続して形成されている。
【００１８】
切梁ジャッキ設置ボックス４は、切梁主材２側に配置された外枠11と継手金物５側に配置された内枠12を備え、外枠11と内枠12は共に山留切梁１の軸方向に一定長の方形または円形断面の筒状に形成されている。
なお、実施形態における外枠11と内枠12は方形断面の筒状に形成されている。また、外枠11と内枠12は方形または円形の鋼管、または複数の鋼板を円形または方形断面形に配置しかつ溶接することにより形成されている。
【００１９】
また、外枠11内に内枠12が内接した状態に配置され、両者は切梁ジャッキ３が切梁軸方向に伸縮すると同時に、切梁ジャッキ３と共に山留切梁１の軸方向の相反する方向に自由にスライドするようになっている(図４参照)。
【００２０】
また特に、外枠11の内周面と内枠12の外周面は密着し、山留切梁１の軸方向以外の方向には変位することなく、同一軸線上で山留切梁１の軸方向の相反する方向にスムーズにスライドするようになっている。
【００２１】
なお、外枠11と内枠12との当接面に摩擦低減材が介在してあれば、外枠11と内枠12は切梁軸方向の相反する方向にスムーズにスライドすることができる。また、外枠11と内枠12は、山留切梁１に作用する軸力、曲げ力およびせん断力に対して充分な強度を備えるべく断面設計されている。
【００２２】
また、外枠11と内枠12は、必ずしも閉断面の筒状である必要はなく、外周が例えば格子状などに軸組された開断面形状に形成されていてもよい。
【００２３】
さらに、外枠11の切梁主材２側の端部に継手プレート13、内枠12の継手金物５側の端部に継手プレート14がそれぞれ取り付けられている。そして、継手プレート13は切梁主材２の端部に、継手プレート14は継手金物５の端部にそれぞれ複数の接合ボルトによって脱着可能にボルト止めされている。
【００２４】
切梁ジャッキ３は、切梁ジャッキ設置ボックス４内に山留切梁１の軸方向に伸縮するように設置され、その一端側3aは外枠11の継手プレート13に、他端側3bは内枠12の継手プレート14にそれぞれ複数の接合ボルトによって脱着可能に接続されている。また、切梁ジャッキ３の外周は、切梁ジャッキ設置ボックス４の外枠11および内枠12の内周より離間されており、山留切梁１に作用するせん断力と曲げ力が切梁ジャッキ３に伝達されないようなっている。
【００２５】
なお、符号15は、切梁ジャッキ設置ボックス４内における切梁ジャッキ３の切梁軸方向の位置を調整するための調整材である。
【００２６】
このような構成において、切梁ジャッキ３の外周と内枠12間が離間しており、かつ外枠11と内枠12は切梁ジャッキ３の伸縮に伴って切梁軸方向の相反する方向にスライド可能に配置されているため、切梁ジャッキ３によって山留切梁１に必要量の軸力を容易にかつ安全に導入することができる。
【００２７】
また、切梁ジャッキ３の外周と内枠12間が離間しており、かつ山留切梁１に作用する曲げ力とせん断力が、外枠11と内枠12との当接面で伝達するように構成され、切梁ジャッキ３は山留切梁１に作用する曲げ力やせん断力を受けないため、切梁ジャッキ３の設置位置として構造的に不利となる位置はなく、切梁軸方向の任意の位置を自由に選択することができる。
【００２８】
図５と図６は、本発明の変形例を図示したものであり、切梁ジャッキ設置ボックス４と切梁補助ピース６との間に継手金物16が配置され、当該継手金物16を介して切梁ジャッキ設置ボックス４と切梁補助ピース６と左右火打梁10,10が互いに脱着可能に接合されている。
【００２９】
継手金物16は、山留切梁１の軸方向に配置された継手本体16aと、当該継手本体16aの両側部に対称に突設された左右継手部16b,16bとから一体に形成され、また、継手本体16aおよび左右継手部16b,16bは、それぞれＨ形鋼または角形鋼管より形成されている。
【００３０】
そして、継手本体16aの両端部に切梁ジャッキ設置ボックス４と切梁補助ピース６がそれぞれボルト接合され、継手部16bの端部に左右火打梁の端部がそれぞれボルト接合されている。
【００３１】
なお、符号16cは継手本体16aの両端部および左右継手部16b,16bの端部に取り付けられ、切梁ジャッキ設置ボックス４、切梁補助ピース６および左右火打梁がそれぞれボルト接合され、継手部16bの端部に左右火打梁10を接合するための継手プレートである。また、継手本体16aは複数の鋼板を矩形断面形に溶接して形成することもできる。
【産業上の利用可能性】
【００３２】
本発明は、切梁ジャッキが切梁に作用する曲げ力とせん断力を負担しないようにして、切梁ジャッキを切梁軸方向の任意の位置に設置できるようにすると共に、切梁に必要量の軸力を容易にかつ安全に導入することができる。
【符号の説明】
【００３３】
１  山留切梁
２  切梁主材
３  切梁ジャッキ
４  切梁ジャッキ設置ボックス
５  継手金物
６  切梁補助ピース
７  調整材
８  腹起し
９  接合ボルト
10  火打梁
11  外枠
12  内枠
13  継手プレート
14  継手プレート
15  調整材
16  継手金物
16a  継手本体
16b  継手プレート
16c  継手プレート
【図１】
2020094329.tif 000003
【図２】
2020094329.tif 000004
【図３】
2020094329.tif 000005
【図４】
2020094329.tif 000006
【図５】
2020094329.tif 000007
【図６】
2020094329.tif 000008
【図７】
2020094329.tif 000009